(57)【要約】【課題】ティーグランドにゴルフティーを差し込む際に、ボールの打進方向を容易に把握し得て、初心者でも的確なティーショットを行うことができ、もってティーショットの失敗を可及的に低減できるゴルフティーを提供する。【解決手段】ゴルフティー３の皿状の載置頂部３ａから尖状の差し込み下端３ｂに至る本体部３ｃの中間部位に、本体部３ｃと直交してゴルフボール４の打進方向Ｘを指向する案内体６を一体に延出した。  ゴルフティー３の皿状の載置頂部３ａから尖状の差し込み下端３ｂに至る本体部３ｃの中間部位に、本体部３ｃと直交する挿入口８を穿設し、この挿入口８に別体の案内体Ａを差し込み貫通させて、その差し込み先端側Ａ´が、ゴルフボール４の打進方向Ｘを指向するように構成した。【選択図】    図２
2005253556.tif 000002
【特許請求の範囲】
【請求項１】
ティーグランドのティーショットマークの範囲内で土中に垂直状に差し込まれるゴルフティーであって、該ゴルフティーには、皿状の載置頂部から尖状の差し込み下端に至る本体部の中間部位に、当該本体部と直交してゴルフボールの打進方向を指向する案内体が一体に延出されていることを特徴とするゴルフティー。
【請求項２】
ティーグランドのティーショットマークの範囲内で土中に垂直状に差し込まれるゴルフティーであって、該ゴルフティーには、皿状の載置頂部から尖状の差し込み下端に至る本体部の中間部位に、当該本体部と直交する挿入口が穿設され、この挿入口に別体の案内体を差し込み貫通させて、上記挿入口から突出する当該案内体の差し込み先端側が、ゴルフボールの打進方向を指向するように構成したことを特徴とするゴルフティー。
【発明の詳細な説明】
【技術分野】
【０００１】
本発明はゴルフティーに係り、特に、ゴルフ場でのティーアップにおいてボールの打進方向を容易に把握して、プレーグランドでの競技経験の浅い初心者であっても、競技開始時の重要なプレーであるティーショットの成功率を大幅に高めることができるゴルフティーに関するものである。
【背景技術】
【０００２】
従来からゴルフは、アメリカ、英国などでポピュラーなスポーツとなっており、日本においても、テレビで放映される競技スポーツの中でプロ野球と並ぶ人気を有するスポーツとなっている。
【０００３】
そして、スポーツとしてのゴルフは、一般に屋外のゴルフコース（通常は１８ホール）を使用して行われ、各々のコースでは、そのコースのスタート位置であるティーグランドから、グリーンの中心に据えたホールまでの打数を競い合うが、実際の競技では、ゴルフボールを打つ前に、まず、プレイヤーはティーグランドのティーショットマークの範囲内に位置する地表面にティーを差し込み、このティーの皿状の載置頂部にゴルフボールを置き（ティーアップ）、次いでプレイヤーがアドレスを確認した後にゴルフクラブ（ドライバー）を振り下ろしてティーショットを行い、ゴルフボールに適切なインパクトを加えると、インパクト方向、すなわちグリーンのホール位置を目指す打進方向にゴルフボールが飛球し、その後にゴルフボールがホール内に落球する（ホールイン）まで、１コースの競技が続行されることになる。
【０００４】
このようなゴルフコースにおける競技においては、各コースの第一打となるティーグランドでのティーショットがそのコースでの勝敗を左右し、それ故、ティーの高さ位置調整やボールの打進方向の推測がプレイヤーにとって非常に重要な要素となる。
【０００５】
しかしながら、上述のようなティーショット時には、当該ショットを行うプレイヤーの緊張度が必然的に高まり、特に、プレーグランドでの競技経験の浅い初心者にとっては、アドレス前の素振りの回数や打進方向の確認の時間が増加することと相俟って、プレイヤー１人当たりの所要時間が長くなり易く、一緒にコースを回る他のプレイヤーへの気遣いも要因の一つとなって、ティーショット時のボールの打進方向を見誤る失敗が往々にして起こり、ゴルフプレーを楽しくかつスムーズに進行させる上で支障を来すものであった。
【０００６】
一方、ゴルフティーの改良、あるいは打進方向を改善するゴルフクラブの発明としては、以下のようなものが提案されている。
【特許文献１】特開２００１−６２０１７
【特許文献２】特開平１０−２０１８９４
【発明の開示】
【発明が解決しようとする課題】
【０００７】
本発明は、上記の如き実状に鑑みより快適なゴルフプレーを行うためのゴルフティーを追究する研究、開発の過程で創案されたものであって、その意図とするところは、ティーグランドにゴルフティーを差し込む際に、ボールの打進方向を容易に把握し得て、初心者でも的確なティーショットを行うことができ、もってティーショットの失敗を可及的に低減しながら、ゴルフプレーの醍醐味を十分に満喫することができるゴルフティーを提供しようとするものである。
【課題を解決するための手段】
【０００８】
上記課題を解決するため、本発明が採用した第１の技術手段は、ティーグランドのティーショットマークの範囲内で土中に垂直状に差し込まれるゴルフティーであって、該ゴルフティーには、皿状の載置頂部から尖状の差し込み下端に至る本体部の中間部位に、当該本体部と直交してゴルフボールの打進方向を指向する案内体が一体に延出されていることを特徴とするものである。
【０００９】
本発明が採用した第２の技術手段は、ティーグランドのティーショットマークの範囲内で土中に垂直状に差し込まれるゴルフティーであって、該ゴルフティーには、皿状の載置頂部から尖状の差し込み下端に至る本体部の中間部位に、当該本体部と直交する挿入口が穿設され、この挿入口に別体の案内体を差し込み貫通させて、上記挿入口から突出する当該案内体の差し込み先端側が、ゴルフボールの打進方向を指向するように構成したことを特徴とするものである。
【発明の効果】
【００１０】
したがって、本発明によれば、ティーショットを行う際に、プレイヤーは案内体をボールの打進方向に向けた状態でティーグランドにゴルフティーを差し込み、その後にボールをゴルフティーの頂部に載置すれば、当該ボール位置と遙か遠くに見えるホール位置とを、いちいち見比べながら打進方向を推測するような所作を要することなく、眼前にあるゴルフティーの案内体が指し示す方向のみを見ながら、アドレスおよびスタンスをプレイヤー自身が調整することにより、的確に打進方向を確認することができ、初心者でも的確なティーショットを行い得て、ティーショットの失敗を可及的に低減してゴルフプレーの醍醐味を十分に満喫することができる。
【発明を実施するための最良の形態】
【００１１】
ゴルフティー本体部の中間部位に、当該本体部と直交してゴルフボールの打進方向を指向する案内体を一体に延出した。
【実施例１】
【００１２】
以下、本発明を実施するための最良の形態を、添付図面に基づいて詳細に説明する。図１および図２において、１はプレイヤー、２はティーグランド、３は本発明のゴルフティーであり、該ゴルフティー３は、上記ティーグランド２のティーショットマーク２ａ内に垂直状に差し込まれ、その皿状の載置頂部３ａにゴルフボール４を載置して、プレイヤー１が把持したゴルフクラブ５（ドライバー５）の振り下ろしによりティーショットを行うようになっている。
【００１３】
上記ゴルフティー３は、前記ゴルフボール４を載置する皿状の載置頂部３ａから尖状の差し込み下端３ｂに至る本体部３ｃの中間部位に、当該本体部３ｃと直交してゴルフボール４の打進方向Ｘを指向する棒状の案内体６が一体に延出されており、ティーショットを行う際には、案内体６をゴルフボール４の打進方向Ｘに向けた状態でティーグランド２にゴルフティー３を差し込み、その後に当該ボール４を載置頂部３ａに載置する。この時、図２（ｂ）に示すように、載置されたゴルフボール４の下方に位置して打進方向Ｘを指向する案内体６が突出し、プレイヤー１は、眼前にあるこの案内体６の指し示す方向のみを見ながら、アドレスおよびスタンスをプレイヤー１自身が調整することにより、的確に打進方向Ｘへのティーショットを行うことができる。
【００１４】
また、プレーグランドでの競技経験をある程度積んだ初心者から中級者のゴルフプレイヤーを対象とする場合には、図３（ａ）（ｂ）に示すように、皿状の載置頂部３ａからやや下がったその外周位置から打進方向Ｘを指向する鋭角三角形状のコンパクトな案内体６´を一体に突出形成するように構成したゴルフティー３としても良い。この場合に、ゴルフボール４を載置すると、プレイヤー１の下方への視線位置から案内体６´がボール４に隠れてしまうが、打進方向Ｘの方向感覚を養うことが目的のプレイヤーにとっては最適のゴルフティーとして使用することができる。なお、ショートホールコースでのプレーで使用する場合は大きなショット力を必要としないので安定性を重視して、同図（ｃ）に示すように、短い本体部３ｃ´を有して形成したゴルフティー３の使用が推奨される。
【００１５】
更に、図４（ａ）（ｂ）（ｃ）に示すような様々なバリエーションを有したゴルフティー３の構成も非常に有用である。すなわち、同図（ａ）では、矢形に形成した案内体７を本体部３ｃに直交状に一体形成したゴルフティー３の構成が示されており、このゴルフティー３を使用した場合は、同図（ｂ）に示すように、載置頂部３ａにゴルフボール４を載置した際、プレイヤー１の下方への視線内に、上記案内体７の先端側７ａと後尾部７ｂがゴルフボール３を挟む前後位置に突出するので、案内体７の指向方向をより一層明確に把握できるようになる。また、同図（ｃ）に示すように、本体部３ｃ、３ｃ´の長さが異なるゴルフティー３、３´を直交状に一体形成した構成としても良い。この場合には、ロングホールコースとショートホールコースで使い分けが可能となり、ゴルフティーとして使用しない側の本体部３ｃあるいは３ｃ´が案内体として機能することになる。
【実施例２】
【００１６】
図５〜図７は、本発明の第２の実施例を示すものであって、図において、ゴルフティー３は、ゴルフボール４を載置する皿状の載置頂部３ａから尖状の差し込み下端３ｂに至る本体部３ｃの中間部位に、当該本体部３ｃと直交する挿入口８が穿設されており、該挿入口８に別体のゴルフティーＡを差し込み貫通させて、上記挿通口８から突出するゴルフティーＡの差し込み先端側Ａ´が、ゴルフボール４の打進方向Ｘを指向するように構成されている。
【００１７】
この構成では挿入口８に差し込まれたゴルフティーＡが案内体として機能し、ティーショットを行う際には、差し込み先端側Ａ´をゴルフボール４の打進方向Ｘに向けた状態でティーグランド２にゴルフティー３を差し込み、その後に当該ボール４を載置頂部３ａに載置することにより、プレイヤー１は、眼前にある差し込み先端側Ａ´の指し示す方向のみを見ながら、アドレスおよびスタンスをプレイヤー１自身が調整してティーショットを行えば、的確に打進方向Ｘにゴルフボール４を飛球させることができる。
【００１８】
この時、図７（ｂ）に示すように、載置されたゴルフボール４の下方に位置して打進方向Ｘを指向するゴルフティーＡの差し込み先端側Ａ´とともに、その載置頂部Ｂがゴルフボール４の後方から突出するので、ゴルフティーＡによる指向方向をより一層明確に把握できるようになる。
【００１９】
なお、上述のゴルフティーＡをショートホール用の短い本体部を有するものを採用する構成、あるいは図６（ｃ）に点線で示すように、矢形に形成した案内体Ｃを挿通口８に差し込む構成、等の様々な組み合わせ上のバリエーションが可能であることは詳述するまでもない。
【産業上の利用可能性】
【００２０】
特になし。
【図面の簡単な説明】
【００２１】
【図１】本発明のゴルフティーを採用したゴルフプレーの斜視図
【図２】（ａ）は要部拡大側面図、（ｂ）は同平面図
【図３】（ａ）は要部拡大側面図、（ｂ）は同平面図、（ｃ）は他の構成における要部拡大側面図
【図４】（ａ）は他の構成における要部拡大側面図、（ｂ）は同平面図、（ｃ）は他の構成における要部拡大側面図
【図５】本発明のゴルフティーを採用したゴルフプレーの斜視図
【図６】（ａ）は要部正面図、（ｂ）は同側面図、（ｃ）は説明図
【図７】（ａ）は要部拡大側面図、（ｂ）は同平面図
【符号の説明】
【００２２】
２    ティーグランド
２ａ  ティーショットマーク
３    ゴルフティー
３ａ  載置頂部
３ｂ  差し込み下端
３ｃ  本体部
６    案内体
８    挿入口
Ａ    別体の案内体
Ａ´  差し込み先端側
Ｘ    打進方向
【図１】
2005253556.tif 000003
【図２】
2005253556.tif 000004
【図３】
2005253556.tif 000005
【図４】
2005253556.tif 000006
【図５】
2005253556.tif 000007
【図６】
2005253556.tif 000008
【図７】
2005253556.tif 000009